(57)【要約】【課題】本発明は、自動販売機の商品が盗難されたことを素早く人に通報できる盗難防止システム及びその方法を提供することを目的とする。【解決手段】本発明に係る盗難防止システムは、制御センターボードと、第一センサーと、第二センサーと、警報装置と、を備え、第二センサーは自動販売機の制御センタードアの開閉状態を検知して制御センターボードに送信し、第一センサーは自動販売機の取り出し口に設置され、第二センサーは制御センタードアが閉じた状態であることを検知するが、制御センターボードは支払い終了指令を受信しない場合、制御センターボードは第一センサーを起動し、第一センサーは商品が取り出し口を通ったことを検知すると、制御センターボードに警報信号を送信し、前記制御センターボードは警報信号を受信すると、前記警報装置に対して警報を鳴らすよう制御する。【選択図】図１
2015036989.tif 000002
【特許請求の範囲】
【請求項１】
制御センターボードと、
第一センサーと、
第二センサーと、
警報装置と、
を備えてなる盗難防止システムであって、
前記第二センサーは自動販売機の制御センターのドアの開閉状態を検知して前記制御センターボードに送信し、
前記第一センサーは自動販売機の取り出し口に設置され、
前記第二センサーは制御センタードアが閉じた状態であることを検知するが、前記制御センターボードは支払い終了指令を受信しない場合、前記制御センターボードは前記第一センサーを起動し、
前記第一センサーは商品が前記取り出し口を通ったことを検知すると、前記制御センターボードに警報信号を送信し、
前記制御センターボードは警報信号を受信すると、前記警報装置を警報を鳴らすよう制御することを特徴とする盗難防止システム。
【請求項２】
前記制御センターボードは支払い終了指令を受信すると、前記第一センサーを一時的にオフにし且つ一定時間経過すると、前記第一センサーを再びオンにし、
前記第一センサーがオフになる間、前記自動販売機の取り出し口を通る商品は検知されないことを特徴とする請求項１に記載の盗難防止システム。
【請求項３】
前記第二センサーが前記制御センターのドアが開いた状態であると検知した場合、前記制御センターボードは前記第一センサーをオフにし、また、前記第二センサーが前記制御センタードアが開いた状態から閉じた状態になったことを検知すると、前記制御センターボードは再び前記第一センサーをオンにし、
前記第一センサーがオフになる間、前記自動販売機の取り出し口を通る商品は検知されないことを特徴とする請求項１に記載の盗難防止システム。
【請求項４】
カメラと、
記憶装置と、
を更に備え、
前記制御センターボードは警報信号を受信した後、前記カメラに対して前記自動販売機の現場を撮影するよう制御し、撮影したデータを前記記憶装置に記憶することを特徴とする請求項１から３の何れか一項に記載の盗難防止システム。
【請求項５】
第二センサーが自動販売機の制御センターのドアの開閉状態を検知するステップと、
第二センサーは制御センタードアが閉じた状態であることを検知するが、制御センターボードは支払い終了指令を受信しない場合、制御センターボードが自動販売機の取り出し口に設置される第一センサーを起動するステップと、
前記第一センサーが商品が前記取り出し口を通ったことを検知すると、前記制御センターボードに警報信号を送信するステップと、
を備えることを特徴とする盗難防止方法。
【発明の詳細な説明】
【技術分野】
【０００１】
本発明は、盗難防止システム及びその方法に関するものである。
【背景技術】
【０００２】
現在自動販売機は至る所に設置されているが、付近に管理者がいないため盗難されやすい。盗難された際は、警察に通報するのが一般的であるが、被害を受けた直後から発見されるまでに時間が経過している場合もあり、この間に、より被害を受けている可能性もある。
【発明の概要】
【発明が解決しようとする課題】
【０００３】
本発明の目的は、前記問題を解決し、自動販売機の商品が盗難されたことを素早く人に通報できる盗難防止システム及びその方法を提供することである。
【課題を解決するための手段】
【０００４】
上記目的を達成するために、本発明に係る盗難防止システムは、制御センターボードと、第一センサーと、第二センサーと、警報装置と、を備え、第二センサーは自動販売機の制御センタードアの開閉状態を検知して制御センターボードに送信し、第一センサーは自動販売機の取り出し口に設置され、第二センサーは制御センタードアが閉じた状態であることを検知するが、制御センターボードは支払い終了指令を受信しない場合、制御センターボードは第一センサーを起動し、第一センサーは商品が取り出し口を通ったことを検知すると、制御センターボードに警報信号を送信し、前記制御センターボードは警報信号を受信すると、前記警報装置に対して警報を鳴らすよう制御する。
【発明の効果】
【０００５】
本発明に係る盗難防止システムは、自動販売機の取り出し口に第一センサーを設置するため、自動販売機の異変を検知でき、警報装置によって警報できるので、自動販売機の商品の盗難を素早く人に通報することができる。
【図面の簡単な説明】
【０００６】
【図１】本発明の実施形態に係る盗難防止システムのブロック図である。
【図２】本発明の実施形態に係る警報方法のフローチャートである。
【図３】本発明の実施形態に係る警報方法のフローチャートである。
【発明を実施するための形態】
【０００７】
図１に示したように、本発明の実施形態に係る盗難防止システム１０は、第一センサー１０１と、制御センターボード１０２と、第二センサー１０３と、警報装置１０４と、カメラ１０５と、記憶装置１０６と、ネットワークアダプタ１０７と、を備える。
【０００８】
第一センサー１０１は、自動販売機の取り出し口に設置される。第一センサー１０１は、光線を検知できるセンサーであっても良い。商品が取り出し口を通ると、センサー１０１は商品を検知し、制御センターボード１０２に警報信号を送信する。
【０００９】
制御センターボード１０２は、自動販売機の制御センターボードであり、自動販売機の音、光線、電気などに対して集中管理及び制御する。
【００１０】
制御センターボード１０２は、警報信号を受信すると、警報装置に対して警報を鳴らすよう制御する。これによって、自動販売機の付近にいる人々（例えば、自動販売機の管理者、警察官、通行人など）は自動販売機の警報に気づき、自動販売機の商品の盗難を阻止することができる。
【００１１】
第二センサー１０３は、自動販売機の制御センターのドアの開閉状態を検知し、その開閉状態を制御センターボード１０２に送信する。
【００１２】
ネットワークアダプタ１０７は、ＩＰネットワークを介してサーバ５０に接続される。制御センターボード１０２は警報信号を受信すると、ネットワークアダプタ１０７を介してサーバ５０に警報情報を送信し、サーバ５０の管理者に対して、自動販売機に異常事態が起きていることを知らせ、相応の措置を行うよう促す。
【００１３】
別の実施形態において、制御センターボード１０２は警報信号を受信した後、カメラ１０５に対して、自動販売機の現場を撮影するよう制御し、撮影したデータを記憶装置１０６に記憶する。この際、制御センターボード１０２は、ネットワークアダプタ１０７を介して撮影データをサーバ５０に転送する。これによって、サーバ５０の管理者は撮影データを基に、より正確な措置を行うことができる。
【００１４】
第二センサー１０３が制御センターのドアが閉じた状態を検知し、この際、制御センターボード１０２が支払い終了指令を受信していない場合、自動販売機は待機状態を維持し、制御センターボード１０２は、第一センサー１０１を起動させる。第一センサー１０１は、商品が取り出し口を通ったことを検知すると、制御センターボード１０２に警報信号を送信する。
【００１５】
制御センターボード１０２が支払い終了指令を受信すると、自動販売機は正常に動作を行い、制御センターボード１０２は、一時的に（例えば５秒間）第一センサー１０１をオフさせる。この間、第一センサー１０１は取り出し口を通る商品を検知しないので、盗難防止システム１０は、自動販売機の正常な動作に干渉しない。消費者が取り出し口から商品を取ると、制御センターボード１０２は第一センサー１０１をオンにする。
【００１６】
第二センサー１０３が制御センターのドアが開いた状態を検知した時、自動販売機は点検中である。管理者が制御センターのドアを開けて自動販売機を点検する時、制御センターボード１０２は、第一センサー１０１をオフにする。また、第二センサー１０３が制御センターのドアが開いた状態から閉じた状態になったことを検知すると、制御センターボード１０２は再び第一センサー１０１をオンにする。これによって、盗難防止システムは自動販売機の点検に対して干渉しない。
【００１７】
図２及び図３は自動販売機の盗難防止警報方法のフローチャートである。
【００１８】
ステップＳ２０１において、第二センサー１０３は、自動販売機の制御センターのドアの開閉状態を検知し、その開閉状態を制御センターボード１０２に送信する。
【００１９】
ステップＳ２０２において、第二センサー１０３が制御センタードアが開いた状態を検知した場合、ステップＳ２０３に進み、第二センサー１０３が制御センターのドアが閉じた状態を検知した場合、ステップＳ２０５に進む。
【００２０】
ステップＳ２０３において、制御センターボード１０２は、第一センサー１０１をオフにし、第一センサー１０１は、取り出し口を通る商品を検知しない。
【００２１】
ステップＳ２０４において、第二センサー１０３が制御センタードアが持続的に開いている状態を検知した場合、ステップＳ２０３に戻り、第二センサー１０３が制御センターのドアが開いた状態から閉じた状態になったことを検知した場合、ステップＳ２０７に進む。
【００２２】
ステップＳ２０５において、制御センターボード１０２は支払い終了指令を受信するかどうかを判断し、受信した場合、ステップＳ２０６に進み、受信しない場合、ステップＳ２０７に進む。
【００２３】
ステップＳ２０６において、制御センターボード１０２は一時的に（例えば５秒間）第一センサー１０１をオフにする。これによって、商品は正常に搬出され、消費者は商品を取ることができる。
【００２４】
ステップＳ２０７において、制御センターボード１０２は第一センサー１０１をオンにする。
【００２５】
ステップＳ２０８において、第一センサー１０１は商品が自動販売機の取り出し口を通ったことを検知すると、制御センターボード１０２に警報信号を送信する。
【００２６】
ステップＳ２０９において、制御センターボード１０２は、警報装置に対して警報を鳴らすよう制御する。これによって、自動販売機の付近にいる人々（自動販売機の管理者、警察官、通行人など）は自動販売機の警報に気づき、自動販売機の商品の盗難を阻止することができる。
【００２７】
ステップＳ２１０において、制御センターボード１０２は、ネットワークアダプタ１０７を介してサーバ５０に警報情報を送信し、サーバ５０の管理者に対して、自動販売機に異常事態が起きていることを知らせ、相応の措置を行うよう促す。
【００２８】
ステップＳ２１１において、制御センターボード１０２は、カメラ１０５に対して自動販売機の現場を撮影するよう制御し、撮影したデータを記憶装置１０６に記憶する。
【００２９】
ステップＳ２１２において、制御センターボード１０２はさらに、ネットワークアダプタ１０７を介して撮影データをサーバ５０に転送する。これによって、サーバ５０の管理者は撮影データを基に、より正確な措置を行うことができる。
【符号の説明】
【００３０】
１０  盗難防止システム
１０１  第一センサー
１０２  制御センターボード
１０３  第二センサー
１０４  警報装置
１０５  カメラ
１０６  記憶装置
１０７  ネットワークアダプタ
５０  サーバ
【図１】
2015036989.tif 000003
【図２】
2015036989.tif 000004
【図３】
2015036989.tif 000005